【手続補正書】
【提出日】平成27年3月2日(2015.3.2)
【手続補正１】
【補正対象書類名】明細書
【補正対象項目名】０００９
【補正方法】削除
【補正の内容】
【手続補正２】
【補正対象書類名】明細書
【補正対象項目名】００１０
【補正方法】変更
【補正の内容】
【００１０】
前述した目的を達成するための、携帯端末からジョブの操作を受け付けることが可能な画像形成装置であって、当該画像形成装置へログインするログイン手段と、前記ログイン手段により当該画像形成装置へログインした場合に、当該画像形成装置でジョブを操作できるように表示する表示手段と、前記携帯端末からジョブの操作を可能とすべく、前記携帯端末から当該画像形成装置への要求を受信する受信手段と、前記受信手段により前記要求を受信した場合に、前記携帯端末でのジョブの操作を受け付けるようにさせ、当該画像形成装置での解除がされるまで前記表示手段によるジョブの操作を受け付けない状態とする操作制御手段とを備えることを特徴とする。
【手続補正３】
【補正対象書類名】特許請求の範囲
【補正対象項目名】全文
【補正方法】変更
【補正の内容】
【特許請求の範囲】
【請求項１】
携帯端末からジョブの操作を受け付けることが可能な画像形成装置であって、
当該画像形成装置へログインするログイン手段と、
前記ログイン手段により当該画像形成装置へログインした場合に、当該画像形成装置でジョブを操作できるように表示する表示手段と、
前記携帯端末からジョブの操作を可能とすべく、前記携帯端末から当該画像形成装置への要求を受信する受信手段と、
前記受信手段により前記要求を受信した場合に、前記携帯端末でのジョブの操作を受け付けるようにさせ、当該画像形成装置での解除がされるまで前記表示手段によるジョブの操作を受け付けない状態とする操作制御手段と
を備えることを特徴とする画像形成装置。
【請求項２】
当該画像形成装置でジョブの操作をさせるべく、前記ログイン手段によりログインしたユーザからの解除指示を受け付ける解除指示受付手段と、
前記解除指示受付手段により前記ログイン手段によりログインしたユーザからの解除指示を受け付けた場合に、前記携帯端末によるジョブの操作を受け付けない状態とし、当該画像形成装置でジョブの操作を受け付けられるように解除する解除手段と
を更に備えることを特徴とする請求項１に記載の画像形成装置。
【請求項３】
前記解除指示受付手段により解除指示を受け付けた場合に、解除指示するユーザに対応するユーザ識別情報を取得する取得手段
を更に備え、
前記解除手段は、前記取得手段により取得したユーザ識別情報と、前記ログイン手段によりログインしているユーザに対応するユーザ識別情報とが一致した場合に、当該画像形成装置でのジョブの操作を受け付けられるように解除することを特徴とする請求項２に記載の画像形成装置。
【請求項４】
時間をカウントするカウント手段
を更に備え、
前記解除手段は、前記カウント手段でのカウントにより、前記携帯端末からの要求が所定時間ないと判定される場合に、当該画像形成装置でのジョブの操作を受け付けられるように解除することを特徴とする請求項３に記載の画像形成装置。
【請求項５】
前記ログイン手段は、読取手段による読取対象物を読み取ることでログインし、
前記ログイン手段によりログインがされる場合に、前記読取手段による読み取りを停止する停止手段と、
前記カウント手段でのカウントにより、前記携帯端末からの要求が所定時間ないと判定される場合に、前記読取手段での読み取りを開始する開始手段と
を更に備え、
前記解除手段は、前記開始手段で読み取りが開始され、前記読取手段で読取対象物が読み取られることで当該画像形成装置でのジョブの操作を受け付けられるように解除することを特徴とする請求項４に記載の画像形成装置。
【請求項６】
携帯端末と、当該携帯端末からジョブの操作を受け付けることが可能な画像形成装置とを含む情報処理システムであって、
前記画像形成装置は、
当該画像形成装置へログインするログイン手段と、
前記ログイン手段により当該画像形成装置へログインした場合に、当該画像形成装置でジョブ情報を操作できるように表示する第１の表示手段と、
前記携帯端末からジョブの操作を可能とすべく、前記携帯端末から当該画像形成装置への要求を受信する受信手段と、
前記受信手段により前記要求を受信した場合に、前記携帯端末でのジョブの操作を受け付けるようにさせ、当該画像形成装置での解除がされるまで前記表示手段によるジョブの操作を受け付けない状態とする操作制御手段と
を備え、
前記携帯端末は、
携帯端末からジョブの操作を可能とすべく、当該携帯端末から前記画像形成装置への要求を送信する送信手段と、
前記送信手段により要求を送信した場合に、当該携帯端末でのジョブの操作を可能とする画面を表示する第２の表示手段と
を備えることを特徴とする情報処理システム。
【請求項７】
携帯端末からジョブの操作を受け付けることが可能な画像形成装置の処理方法であって、
前記画像形成装置が、
当該画像形成装置へログインするログインステップと、
前記ログインステップで当該画像形成装置へログインした場合に、当該画像形成装置でジョブを操作できるように表示する表示ステップと、
前記携帯端末からジョブの操作を可能とすべく、前記携帯端末から当該画像形成装置への要求を受信する受信ステップと、
前記受信ステップで前記要求を受信した場合に、前記携帯端末でのジョブの操作を受け付けるようにさせ、当該画像形成装置での解除がされるまで前記表示ステップでのジョブの操作を受け付けない状態とする操作制御ステップと
を実行することを特徴とする処理方法。
【請求項８】
携帯端末からジョブの操作を受け付けることが可能な画像形成装置のプログラムであって、
前記画像形成装置を、
当該画像形成装置へログインするログイン手段と、
前記ログイン手段により当該画像形成装置へログインした場合に、当該画像形成装置でジョブを操作できるように表示する表示手段と、
前記携帯端末からジョブの操作を可能とすべく、前記携帯端末から当該画像形成装置への要求を受信する受信手段と、
前記受信手段により前記要求を受信した場合に、前記携帯端末でのジョブの操作を受け付けるようにさせ、当該画像形成装置での解除がされるまで前記表示手段によるジョブの操作を受け付けない状態とする操作制御手段
として機能させることを特徴とするプログラム。
【請求項９】
携帯端末と、当該携帯端末からジョブの操作を受け付けることが可能な画像形成装置とを含む情報処理システムの処理方法であって、
前記画像形成装置が、
当該画像形成装置へログインするログインステップと、
前記ログインステップで当該画像形成装置へログインした場合に、当該画像形成装置でジョブ情報を操作できるように表示する第１の表示ステップと、
前記携帯端末からジョブの操作を可能とすべく、前記携帯端末から当該画像形成装置への要求を受信する受信ステップと、
前記受信ステップで前記要求を受信した場合に、前記携帯端末でのジョブの操作を受け付けるようにさせ、当該画像形成装置での解除がされるまで前記第１の表示ステップでのジョブの操作を受け付けない状態とする操作制御ステップ
とを実行し、
前記携帯端末が、
携帯端末からジョブの操作を可能とすべく、当該携帯端末から前記画像形成装置への要求を送信する送信ステップと、
前記送信ステップにより要求を送信した場合に、当該携帯端末でのジョブの操作を可能とする画面を表示する第２の表示ステップ
とを実行することを特徴とする処理方法。
【請求項１０】
携帯端末と、当該携帯端末からジョブの操作を受け付けることが可能な画像形成装置とを含む情報処理システムのプログラムであって、
前記画像形成装置を、
当該画像形成装置へログインするログイン手段と、
前記ログイン手段により当該画像形成装置へログインした場合に、当該画像形成装置でジョブ情報を操作できるように表示する第１の表示手段と、
前記携帯端末からジョブの操作を可能とすべく、前記携帯端末から当該画像形成装置への要求を受信する受信手段と、
前記受信手段により前記要求を受信した場合に、前記携帯端末でのジョブの操作を受け付けるようにさせ、当該画像形成装置での解除がされるまで前記表示手段によるジョブの操作を受け付けない状態とする操作制御手段
として機能させ、
前記携帯端末を、
携帯端末からジョブの操作を可能とすべく、当該携帯端末から前記画像形成装置への要求を送信する送信手段と、
前記送信手段により要求を送信した場合に、当該携帯端末でのジョブの操作を可能とする画面を表示する第２の表示手段
として機能させることを特徴とするプログラム。